(57)【要約】【課題】有線リモコンを接続するための専用ポートを別途設けることなく、無線リモコンが使用できない際に有線リモコンを用いて本体の操作を行うことができる薄型表示装置を提供する。【解決手段】同軸デジタル音声出力端子２４を備える液晶テレビジョン装置１０において、(a) スタンバイ時及び電源オン時とも稼働する電源により同軸デジタル音声出力端子２４をプルアップ抵抗Ｒ１５を介してプルアップするプルアップ部１５ｄと、(b) ユーザによるボタン操作に応じたキーイン電圧Ｖkinをプルアップ部１５ｄとの関係に基づいて同軸デジタル音声出力端子２４にかける為の抵抗Ｒ１〜Ｒ５と、ユーザによるボタン操作に対応してオンさせられて同軸デジタル音声出力端子２４を抵抗Ｒ１〜Ｒ５を介して接地させるスイッチＳＷ１〜ＳＷ５と、同軸デジタル音声出力端子２４と電気的に接続するための同軸ケーブル３０ｄとを有する有線リモコン３０とを、備える。【選択図】図３
2009105567.tif 000002
【特許請求の範囲】
【請求項１】
ユーザ操作に応じた各種信号を無線方式により本体へ送信することで該本体の動作を遠隔操作する無線リモコンと、外部アンプへデジタル音声信号を送出するためのデジタル音声出力用の同軸デジタル音声出力端子とを備える薄型表示装置において、
スタンバイ時及び電源オン時とも稼働する電源により上記同軸デジタル音声出力端子をプルアップ抵抗を介してプルアップするプルアップ部と、
ユーザによるボタン操作に応じたキーイン電圧を上記プルアップ部との関係に基づいて上記同軸デジタル音声出力端子にかける為の抵抗と、ユーザによるボタン操作に対応してオンさせられて上記同軸デジタル音声出力端子を上記抵抗を介して接地させるスイッチと、上記本体の外部から上記同軸デジタル音声出力端子と電気的に接続するためのプラグ付の同軸ケーブルとを有する有線リモコンと
を、備えることを特徴とする薄型表示装置。
【請求項２】
上記同軸デジタル音声出力端子に上記外部アンプが接続された場合に、該外部アンプ側へ送出される上記デジタル音声信号に直流成分がのることが抑制されるように、上記プルアップ抵抗は上記外部アンプの入力インピーダンスに比較して十分大きくされていることを特徴とする請求項１に記載の薄型表示装置。
【請求項３】
上記同軸デジタル音声出力端子における端子電圧に基づいてスイッチングさせられると共に、動作時には上記デジタル音声信号の信号ラインを接地させるスイッチ素子を備え、
上記スイッチ素子は、上記デジタル音声信号のピーク電圧よりも大きな閾値を持ち、
上記キーイン電圧は、上記スイッチ素子の閾値よりも大きくなるように設定されていることを特徴とする請求項１または２に記載の薄型表示装置。
【請求項４】
上記同軸デジタル音声出力端子に接続され、上記キーイン電圧に基づいてユーザ操作に応じた上記所定動作を実行させる一方で、上記デジタル音声信号の電圧では上記所定動作を実行させないマイコンを備えていることを特徴とする請求項３に記載の薄型表示装置。
【請求項５】
上記有線リモコンは、上記無線リモコンに組み込まれていることを特徴とする請求項１乃至４の何れかに記載の薄型表示装置。
【請求項６】
上記同軸デジタル音声出力端子における端子電圧に基づいてスイッチングさせられると共に、動作時には上記デジタル音声信号の信号ラインを接地させる電界効果トランジスタと、
上記同軸デジタル音声出力端子に接続され、上記キーイン電圧に基づいてユーザ操作に応じた上記所定動作を実行させる一方で、上記デジタル音声信号の電圧では上記所定動作を実行させないマイコンとを備え、
上記電界効果トランジスタは、上記デジタル音声信号のピーク電圧よりも大きな閾値を持ち、
上記キーイン電圧は、上記電界効果トランジスタの閾値よりも大きくなるように設定され、
上記同軸デジタル音声出力端子に上記外部アンプが接続された場合に、該外部アンプ側へ送出される上記デジタル音声信号に直流成分がのることが抑制されるように、上記プルアップ抵抗は上記外部アンプの入力インピーダンスに比較して十分大きくされていることを特徴とする請求項１に記載の薄型表示装置。 
【発明の詳細な説明】
【技術分野】
【０００１】
本発明は、リモコン操作により本体を操作することができる薄型表示装置に関する。
【背景技術】
【０００２】
ユーザ操作に応じた各種信号を無線方式により本体へ送信することで本体の動作を遠隔操作することができる無線リモコンを備えた薄型表示装置がよく知られている。一般に、このような無線リモコンは乾電池等を電源として使用するので、電池切れの際には当然本体を操作することができなくなる。この際、緊急対応用として本体に接続する有線リモコンを用い、本体側から電源の供給を受けて本体をリモコン操作することが考えられる。
【０００３】
有線リモコンにより本体を操作する機器として、例えば特許文献１には、本体に外部音声出力端子、リモコンに外部音声入力端子をそれぞれ設け、音声信号を外部音声信号入力手段を通して有線で音声信号を伝送する有線信号伝送手段と、有線伝送装置の場合、動作制御信号を符号化信号から電圧信号に変換して伝送する制御電圧変換手段と、音声信号のバイアス電圧をリモコンの電源として使用する外部電源供給手段とを備えた構成とする携帯用音響装置が開示されている。
【特許文献１】特開平８−２１４３８１号公報
【発明の開示】
【発明が解決しようとする課題】
【０００４】
しかしながら、通常時には無線リモコンを使用することを前提とするならば、電池切れ等で無線リモコンが使用できない際の緊急対応用として有線リモコンを使用するためには本体に有線リモコンを接続するための専用ポートを別途設ける必要があった。
【０００５】
本発明は上記課題に鑑みて為されたもので、その目的とするところは、有線リモコンを接続するための専用ポートを別途設けることなく、無線リモコンが使用できない際に有線リモコンを用いて本体の操作を行うことができる薄型表示装置を提供することにある。
【課題を解決するための手段】
【０００６】
上記目的を達成するための請求項１に記載の発明は、ユーザ操作に応じた各種信号を無線方式により本体へ送信することで該本体の動作を遠隔操作する無線リモコンと、外部アンプへデジタル音声信号を送出するためのデジタル音声出力用の同軸デジタル音声出力端子とを備える薄型表示装置において、(a) スタンバイ時及び電源オン時とも稼働する電源により上記同軸デジタル音声出力端子をプルアップ抵抗を介してプルアップするプルアップ部と、(b) ユーザによるボタン操作に応じたキーイン電圧を上記プルアップ部との関係に基づいて上記同軸デジタル音声出力端子にかける為の抵抗と、ユーザによるボタン操作に対応してオンさせられて上記同軸デジタル音声出力端子を上記抵抗を介して接地させるスイッチと、上記本体の外部から上記同軸デジタル音声出力端子と電気的に接続するためのプラグ付の同軸ケーブルとを有する有線リモコンとを、備える構成としてある。
【０００７】
上記のように構成された本発明の薄型表示装置において、有線リモコンは、上記本体の外部から上記同軸デジタル音声出力端子に電気的に接続された状態において、上記プルアップ部からスタンバイ時及び電源オン時とも稼働する電源の供給が可能とされ、ユーザによるボタン操作により上記同軸デジタル音声出力端子を抵抗を介して接地させてユーザ操作に応じたキーイン電圧を該同軸デジタル音声出力端子にかけることで本体の動作（例えば上記無線リモコンを用いた上記動作の内の所定動作）を遠隔操作することができる。
これにより、通常時に使用される無線リモコンと異なり例えば電池が不要となる。また、有線リモコンの接続箇所は同軸デジタル音声出力端子との兼用とされる。また、抵抗とボタン操作に連動して接地させるためのスイッチとで有線リモコンを構成することが可能となる。
【０００８】
また、好適には、上記同軸デジタル音声出力端子に上記外部アンプが接続された場合に、該外部アンプ側へ送出される上記デジタル音声信号に直流成分がのることが抑制されるように、上記プルアップ抵抗は上記外部アンプの入力インピーダンスに比較して十分大きくされている構成としても良い。
【０００９】
また、好適には、上記同軸デジタル音声出力端子における端子電圧に基づいてスイッチングさせられると共に、動作時には上記デジタル音声信号の信号ラインを接地させるスイッチ素子を備え、上記スイッチ素子は、上記デジタル音声信号のピーク電圧よりも大きな閾値を持ち、上記キーイン電圧は、上記スイッチ素子の閾値よりも大きくなるように設定されている構成としても良い。このように構成されることで、上記スイッチ素子は上記デジタル音声信号のピーク電圧よりも大きな閾値を持つことから、上記デジタル音声信号を上記同軸デジタル音声出力端子から出力するときにはスイッチ素子は動作しない。上記キーイン電圧は上記スイッチ素子の閾値よりも大きくなるように設定されることから、有線リモコンを接続したときにはスイッチ素子は動作する。
【００１０】
また、好適には、上記同軸デジタル音声出力端子に接続され、上記キーイン電圧に基づいてユーザ操作に応じた上記所定動作を実行させる一方で、上記デジタル音声信号の電圧では上記所定動作を実行させないマイコンを備えている構成としても良い。
【００１１】
また、好適には、上記有線リモコンは、上記無線リモコンに組み込まれている構成としても良い。
【００１２】
また、好適には、上記同軸デジタル音声出力端子における端子電圧に基づいてスイッチングさせられると共に、動作時には上記デジタル音声信号の信号ラインを接地させる電界効果トランジスタと、上記同軸デジタル音声出力端子に接続され、上記キーイン電圧に基づいてユーザ操作に応じた上記所定動作を実行させる一方で、上記デジタル音声信号の電圧では上記所定動作を実行させないマイコンとを備え、上記電界効果トランジスタは、上記デジタル音声信号のピーク電圧よりも大きな閾値を持ち、上記キーイン電圧は、上記電界効果トランジスタの閾値よりも大きくなるように設定され、上記同軸デジタル音声出力端子に上記外部アンプが接続された場合に、該外部アンプ側へ送出される上記デジタル音声信号に直流成分がのることが抑制されるように、上記プルアップ抵抗は上記外部アンプの入力インピーダンスに比較して十分大きくされている構成としても良い。このように構成されることで、上記電界効果トランジスタは上記デジタル音声信号のピーク電圧よりも大きな閾値を持つことから、上記デジタル音声信号を上記同軸デジタル音声出力端子から出力するときには電界効果トランジスタは動作しない。上記キーイン電圧は上記電界効果トランジスタの閾値よりも大きくなるように設定されることから、有線リモコンを接続したときには電界効果トランジスタは動作する。
【発明の効果】
【００１３】
以上説明したように、請求項１に記載の発明によれば、通常の無線リモコンと異なり例えば電池が不要となるので、通常時に使用される無線リモコンにおいて例えば電池切れ等で使用できなくなった際に有線リモコンを緊急対応用として用いることができる。また、有線リモコンの接続箇所は同軸デジタル音声出力端子との兼用とされるので、有線リモコンを接続するための専用ポートを別途設ける必要がない。また、抵抗とボタン操作に連動して接地させるためのスイッチとで有線リモコンを構成することが可能となるので、安価に有線リモコンを構成できる利点がある。よって、有線リモコンを接続するための専用ポートを別途設けることなく、無線リモコンが使用できない際に既存の同軸デジタル音声出力端子に接続可能な有線リモコンを用いて本体の操作を行うことができる薄型表示装置が提供される。
【００１４】
また、本発明によれば、上記同軸デジタル音声出力端子に上記外部アンプが接続された場合に、その外部アンプ側へ送出される上記デジタル音声信号に直流成分がのることが抑制されるので、スタンバイ時及び電源オン時とも稼働する電源により上記同軸デジタル音声出力端子をプルアップ抵抗を介してプルアップすることによる悪影響が出にくい。
【００１５】
また、本発明によれば、上記デジタル音声信号を上記同軸デジタル音声出力端子から出力するときにはスイッチ素子は動作しないので、例えば上記同軸デジタル音声出力端子に外部アンプを接続した場合には適切に上記デジタル音声信号が出力される。有線リモコンを接続したときにはスイッチ素子は動作するので、有線リモコンを使用する場合には上記デジタル音声信号がロー（グランド）に引き込まれ、キーイン電圧はそのデジタル音声信号の影響を受けない。
【００１６】
また、本発明によれば、マイコンにより上記キーイン電圧に基づいてユーザ操作に応じた上記所定動作が実行させられるので、適切に有線リモコンを使用することができる。また、マイコンにより上記デジタル音声信号の電圧では上記所定動作が実行させられないので、適切に上記デジタル音声信号を上記同軸デジタル音声出力端子から出力することができる。
【００１７】
また、本発明によれば、上記有線リモコンは上記無線リモコンに組み込まれているので、専用に別途有線リモコンを用意する必要がない。
【００１８】
また、本発明によれば、上記同軸デジタル音声出力端子に上記外部アンプが接続された場合に、その外部アンプ側へ送出される上記デジタル音声信号に直流成分がのることが抑制されるので、スタンバイ時及び電源オン時とも稼働する電源により上記同軸デジタル音声出力端子をプルアップ抵抗を介してプルアップすることによる悪影響が出にくい。また、上記デジタル音声信号を上記同軸デジタル音声出力端子から出力するときには電界効果トランジスタは動作しないので、例えば上記同軸デジタル音声出力端子に外部アンプを接続した場合には適切に上記デジタル音声信号が出力される。また、有線リモコンを接続したときには電界効果トランジスタは動作するので、有線リモコンを使用する場合には上記デジタル音声信号がロー（グランド）に引き込まれ、マイコンにデジタル音声信号が漏れ込むのが防止される。見方を換えれば、キーイン電圧はそのデジタル音声信号の影響を受けない。また、マイコンにより上記キーイン電圧に基づいてユーザ操作に応じた上記所定動作が実行させられるので、適切に有線リモコンを使用することができる。また、マイコンにより上記デジタル音声信号の電圧では上記所定動作が実行させられないので、適切に上記デジタル音声信号を上記同軸デジタル音声出力端子から出力することができる。
【発明を実施するための最良の形態】
【００１９】
以下、図面にもとづいて本発明の実施形態を説明する。
（１）有線リモコンを備える薄型表示装置の概略構成
（２）有線リモコンを使用する際の動作
（３）変形例
（４）まとめ
【００２０】
（１）有線リモコンを備える薄型表示装置の概略構成
以下、図１、２を参照して本発明が適用される有線リモコン３０を備えた薄型表示装置としての液晶テレビジョン装置１０の概略構成を説明する。図１は液晶テレビジョン装置１０を示す斜視図であり、図２は液晶テレビジョン装置１０のブロック構成図である。
尚、本実施形態では本発明が適用される薄型表示装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。
【００２１】
図１、図２において、液晶テレビジョン装置１０は、本体１０ａと無線リモコン２３と有線リモコン３０とを備えている。本体１０ａは、チューナ１１、フロントエンド１２、デコーダ１３、ＯＳＤ回路１４、音声出力部１５、画像表示部１６、リモコン受信部１７、マイコン１８、電源回路１９、記憶部２０、同軸デジタル音声出力端子（コアキシャルＪＡＣＫ）２４などから構成されている。また、マイコン１８等の各部は、バス２１にて接続されている。
【００２２】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
【００２３】
フロントエンド１２は、例えばマイコン１８から入力される制御信号に従って、チューナ１１から出力されたテレビジョン放送信号を中間周波信号に変換して、デコーダ１３に出力する。
【００２４】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００２５】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００２６】
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。また、音声出力部１５は、例えば外部アンプ５０（図３参照）を用いて音声を図示しない外部スピーカから出力できるように、デジタル音声信号（例えば音声信号をデジタル転送する為の規格であるよく知られたS/PDIFの信号）を同軸デジタル音声出力端子２４へ出力する。尚、この同軸デジタル音声出力端子２４は、外部アンプ５０へデジタル音声信号を送出するためのよく知られたデジタル音声出力用の出力端子である。
【００２７】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００２８】
リモコン受信部１７は、例えば無線リモコン２３から送信された各種信号（制御コマンド）を受信し、それら各種信号に基づく各種データをマイコン１８へ出力する。
【００２９】
無線リモコン２３は、例えばユーザによって操作され、その操作に応じた各種信号を赤外線或いは電波などの無線方式によりリモコン受信部１７へ送信することで本体１０ａの動作を遠隔操作することができる。
【００３０】
有線リモコン３０は、本体１０ａの外部から同軸デジタル音声出力端子２４に電気的に接続された状態で使用されるリモコンであり、無線リモコン２３と同様に、ユーザによる操作により本体１０ａの動作を遠隔操作することができる。この有線リモコン３０は、通常時に使用される無線リモコン２３を例えば電池切れ等で使用できなくなった際に緊急対応用として専ら使用されるリモコンである。そのため、有線リモコン３０を用いて遠隔操作できる本体１０ａの動作は、無線リモコン２３を用いた動作の内の所定動作に限定されている。例えば、電源（Ｐ−ＯＮ）のオン／オフ、チャンネルのアップ／ダウン、音量のアップ／ダウンに限定されている。従って、有線リモコン３０には、操作ボタンとして例えば電源のオン／オフを行う為の電源ボタン３０ａ、チャンネルのアップ（＋）／ダウン（−）を行う為のチャンネル（ＣＨ）ボタン３０ｂ、音量のアップ（＋）／ダウン（−）を行う為の音量ボタン３０ｃのみが備えられる。
尚、有線リモコン３０には、本体１０ａの外部から同軸デジタル音声出力端子２４と電気的に接続するためのプラグ付の同軸ケーブル３０ｄが接続されている（或いは取り付けられている）。
【００３１】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて電源のオン／オフ、チャンネルの切換え、音量のアップ／ダウン等を制御する。また、マイコン１８は、電源回路１９のオン・オフを指令する信号として、スタンバイ時にはローとされ且つ電源オン時にはハイとされる電源オン信号（Ｐ−ＯＮ信号）を出力する。
尚、上記スタンバイ時とは、例えば電源回路１９のメイン電源のオン状態であってマイコン１８やリモコン受信部１７等にのみ電源が供給されてユーザによる各種操作（例えば電源オン操作等）の受付を待ち受けていたり予約プログラムに従って待機している等の待機状態である。また、上記電源オン時とは、例えばチューナ１１等にも電源が供給されて液晶パネル１６ｂに映像を表示したりスピーカ１５ｂから音声を出力している等の通常作動状態である。
【００３２】
ＣＰＵ１８ａは、ＲＯＭ１８ｃに記憶された液晶テレビジョン装置１０用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１０で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００３３】
電源回路１９は、例えば部分共振電源回路であり、商用ＡＣ電源を複数種類の所定の電圧に変換して液晶テレビジョン装置１０の各部へ動作電源電圧を出力する。
【００３４】
記憶部２０は、例えばＥＥＰＲＯＭ等の不揮発性半導体メモリで構成されており、放送信号に対応するチャンネル情報やユーザにより設定された各種調整値等を記憶する。
【００３５】
（２）有線リモコンを使用する際の動作
図３は、有線リモコン３０及びデジタル音声信号出力に関連する本体１０ａ内部の概略の回路構成を例示する図である。図３において、音声出力部１５は、前述した音声出力アンプＩＣ１５ａやスピーカ１５ｂに加え、デジタル音声信号（S/PDIFの信号）を同軸デジタル音声出力端子２４へ出力する為のよく知られたデジタル音声ライン部１５ｃを有している。更に、音声出力部１５は、スタンバイ時及び電源オン時とも稼働する電源（ALL＋５Ｖ）により同軸デジタル音声出力端子２４をプルアップ抵抗Ｒ１５を介してプルアップするプルアップ部１５ｄと、同軸デジタル音声出力端子２４における端子電圧Ｖ２４に基づいてスイッチングさせられると共に動作時にはデジタル音声ライン部１５ｃにおけるデジタル音声信号の信号ラインＬ１５を接地させるスイッチ素子としての電界効果トランジスタＦＥＴ１５とを有している。
【００３６】
有線リモコン３０は、ユーザによる各ボタン操作に応じたキーイン電圧Ｖkinをプルアップ部１５ｄとの関係に基づいて同軸デジタル音声出力端子２４にかける為の各抵抗Ｒ１、Ｒ２、Ｒ３、Ｒ４、Ｒ５と、各ボタン３０ａ、３０ｂ、３０ｃにおけるユーザによる押し下げ操作に対応してそれぞれオンさせられて同軸デジタル音声出力端子２４を各抵抗Ｒ１、Ｒ２、Ｒ３、Ｒ４、Ｒ５のうちの所定の抵抗を介して接地させる各タクティールプッシュスイッチＳＷ１、ＳＷ２、ＳＷ３、ＳＷ４、ＳＷ５とを有している。本実施例では、各タクティールプッシュスイッチＳＷ１、ＳＷ２、ＳＷ３、ＳＷ４、ＳＷ５は、例えば順に電源ボタン３０ａ、チャンネル（ＣＨ）ボタン３０ｂのアップ（＋）側、チャンネル（ＣＨ）ボタン３０ｂのダウン（−）側、音量ボタン３０ｃのアップ（＋）側、音量ボタン３０ｃのダウン（−）側にそれぞれ対応している。
【００３７】
このように構成された有線リモコン３０は、本体の外部から同軸デジタル音声出力端子２４に電気的に接続された状態において、プルアップ部１５ｄから電源（ALL＋５Ｖ）の供給が可能とされると共に、ユーザによるボタン操作により同軸デジタル音声出力端子２４を抵抗を介して接地させてユーザ操作に応じたキーイン電圧Ｖkinを同軸デジタル音声出力端子２４にかけることができる。この際、同軸デジタル音声出力端子２４に接続されたマイコン１８は、キーイン電圧Ｖkinに基づいてユーザ操作に応じた所定動作（例えば電源のオン／オフ、チャンネルのアップ／ダウン、音量のアップ／ダウン）を実行させる。よって、有線リモコン３０は、無線リモコン２３を用いた動作の内の所定動作を遠隔操作することができる。また、通常時に使用される無線リモコン２３と異なり例えば電池が不要となる。また、有線リモコン３０の接続箇所は同軸デジタル音声出力端子２４との兼用とされる。また、各抵抗Ｒ１、Ｒ２、Ｒ３、Ｒ４、Ｒ５と、各ボタン３０ａ、３０ｂ、３０ｃ操作に連動して接地させる為の各タクティールプッシュスイッチＳＷ１、ＳＷ２、ＳＷ３、ＳＷ４、ＳＷ５とで有線リモコン３０を簡単に構成することが可能となる。
【００３８】
以下、有線リモコンを使用する際の動作を、外部アンプ５０を接続した場合の動作と共に説明する。
同軸デジタル音声出力端子２４に外部アンプ５０を接続した場合は、外部アンプ５０に通常通りデジタル音声信号（S/PDIFの信号）が送出される。同軸デジタル音声出力端子２４に接続される外部アンプ５０側の入力インピーダンスは通常７５Ωであることから、プルアップ抵抗Ｒ１５を外部アンプ５０の入力インピーダンスに比較して十分大きくすることで、外部アンプ５０側へ送出されるデジタル音声信号に直流成分がのることを抑制（防止）する。本実施例では、プルアップ抵抗Ｒ１５は７５Ωよりも十分に大きな例えば１００ｋΩに設定されている。
【００３９】
一方で、同軸デジタル音声出力端子２４に有線リモコン３０を接続した場合は、各ボタン３０ａ、３０ｂ、３０ｃにおけるユーザによる押し下げ操作に応じて同軸デジタル音声出力端子２４にキーイン電圧Ｖkinがかかり、そのキーイン電圧Ｖkinがマイコン１８に入力されて所定動作（例えば電源のオン／オフ、チャンネルのアップ／ダウン、音量のアップ／ダウン）が実行させられる。この際、キーイン電圧Ｖkinとなる端子電圧Ｖ２４により電界効果トランジスタＦＥＴ１５が動作させられるので、デジタル音声信号（すなわち信号ラインＬ１５）がロー（グランド）に引き込まれてトランジスタＴＲ１５がオフし、同軸デジタル音声出力端子２４側へのデジタル音声信号の出力が停止させられる。これにより、デジタル音声信号がマイコン１８に漏れ込むのが防止される。見方を換えれば、キーイン電圧Ｖkinがデジタル音声信号の影響を受けることが防止される。
【００４０】
従って、同軸デジタル音声出力端子２４に有線リモコン３０を接続した状態で、何れのボタン３０ａ、３０ｂ、３０ｃも操作されないときのキーイン電圧Ｖkin、及び何れかのボタン３０ａ、３０ｂ、３０ｃが操作されたときのキーイン電圧Ｖkinは、電界効果トランジスタＦＥＴ１５の閾値よりも大きくなるように有線リモコン３０の各抵抗Ｒ１、Ｒ２、Ｒ３、Ｒ４、Ｒ５の抵抗値等を設定する必要がある。
また、外部アンプ５０の接続時にはキーイン電圧Ｖkinとなるデジタル音声信号の電圧Ｖｄにより電界効果トランジスタＦＥＴ１５が動作させられないように、閾値がデジタル音声信号のピーク電圧Ｖdmax（S/PDIF規格では250mV±２０％）よりも大きい電界効果トランジスタＦＥＴ１５を使用する必要がある。尚、マイコン１８においても、S/PDIFの信号の振幅レベル範囲では動作を受け付けないような仕様にする必要がある。つまり、マイコン１８は、デジタル音声信号の電圧Ｖｄでは所定動作（例えば電源のオン／オフ、チャンネルのアップ／ダウン、音量のアップ／ダウン）を実行させない仕様とされる。
【００４１】
以下に、本実施例における各設定値の具体的な数値を例示する。
例えば、本実施例では、１Ｖの閾値を持つ電界効果トランジスタＦＥＴ１５を使用する。これにより、外部アンプ５０の接続時にはデジタル音声信号の電圧Ｖｄにより電界効果トランジスタＦＥＴ１５が動作させられないので、同軸デジタル音声出力端子２４側へデジタル音声信号が適切に出力される。
【００４２】
同軸デジタル音声出力端子２４に有線リモコン３０を接続した状態で何れかのボタン３０ａ、３０ｂ、３０ｃが操作されたときに、キーイン電圧Ｖkin（端子電圧Ｖ２４）が１Ｖを超えるように、各抵抗Ｒ１、Ｒ２、Ｒ３、Ｒ４、Ｒ５の抵抗値は順に１８０ｋΩ、８２ｋΩ、５１ｋΩ、３３ｋΩ、６８ｋΩに設定されている。
これにより、電源ボタン３０ａが操作されたときには、タクティールプッシュスイッチＳＷ１がオンさせられ、プルアップ部１５ｄの電源（ALL＋５Ｖ）の電圧である５Ｖに対するプルアップ抵抗Ｒ１５の抵抗値１００ｋΩと抵抗Ｒ１〜Ｒ５の合計抵抗値４１４ｋΩとの関係から、キーイン電圧Ｖkin（端子電圧Ｖ２４）は約４．０Ｖとされる。よって、電界効果トランジスタＦＥＴ１５が動作させられ、同軸デジタル音声出力端子２４側へのデジタル音声信号の出力が停止させられる。マイコン１８は、キーイン電圧Ｖkinとして入力された約４．０Ｖの電圧により電源（Ｐ−ＯＮ）のオン／オフを実行させる。
同様に、チャンネル（ＣＨ）ボタン３０ｂのアップ（＋）側が操作されたときには、タクティールプッシュスイッチＳＷ２がオンさせられ、キーイン電圧Ｖkin（端子電圧Ｖ２４）は約３．５Ｖとされる。よって、電界効果トランジスタＦＥＴ１５が動作させられると共に、マイコン１８によりチャンネルのアップが実行させられる。また、チャンネル（ＣＨ）ボタン３０ｂのダウン（−）側が操作されたときには、タクティールプッシュスイッチＳＷ３がオンさせられ、キーイン電圧Ｖkin（端子電圧Ｖ２４）は約３．０Ｖとされる。よって、電界効果トランジスタＦＥＴ１５が動作させられると共に、マイコン１８によりチャンネルのダウンが実行させられる。また、音量ボタン３０ｃのアップ（＋）側が操作されたときには、タクティールプッシュスイッチＳＷ４がオンさせられ、キーイン電圧Ｖkin（端子電圧Ｖ２４）は約２．５Ｖとされる。よって、電界効果トランジスタＦＥＴ１５が動作させられると共に、マイコン１８により音量のアップが実行させられる。また、音量ボタン３０ｃのダウン（−）側が操作されたときには、タクティールプッシュスイッチＳＷ５がオンさせられ、キーイン電圧Ｖkin（端子電圧Ｖ２４）は約２．０Ｖとされる。よって、電界効果トランジスタＦＥＴ１５が動作させられると共に、マイコン１８により音量のダウンが実行させられる。
【００４３】
尚、同軸デジタル音声出力端子２４に有線リモコン３０を接続した状態で何れのボタン３０ａ、３０ｂ、３０ｃも操作されないときは、同軸デジタル音声出力端子２４がオープン状態とされるので、キーイン電圧Ｖkin（端子電圧Ｖ２４）がプルアップ部１５ｄの電源（ALL＋５Ｖ）の電圧である５Ｖとされて電界効果トランジスタＦＥＴ１５が動作させられ、同軸デジタル音声出力端子２４側へのデジタル音声信号の出力が停止させられる。また、同軸デジタル音声出力端子２４に何も接続されない場合も、上記同様に端子電圧Ｖ２４が５Ｖとされて電界効果トランジスタＦＥＴ１５が動作させられ、同軸デジタル音声出力端子２４側へのデジタル音声信号の出力が停止させられる。
【００４４】
（３）変形例
有線リモコンは、無線リモコンに組み込まれている構成としても良い。図４は、有線リモコンの機能が組み込まれた無線リモコン４０の概略を例示する図である。図４において、無線リモコン４０は、無線リモコン２３と同様に無線リモコンとして使用する際に用いるボタン４０ａと、有線リモコン３０と同様に有線リモコンとして使用する際に用いるボタン４０ｂとを備えて構成されている。このように構成された無線リモコン４０において、通常は無線リモコンとして使用する。一方で、例えば電池切れ等で無線リモコン４０を無線リモコンとして使用できなくなったときには、別に用意されたプラグ付の同軸ケーブル４０ｃを用いて同軸デジタル音声出力端子２４と電気的に接続し、無線リモコン４０を有線リモコンとして使用する。
【００４５】
（４）まとめ
上述のように、本実施例によれば、通常時に使用される無線リモコン２３と異なり例えば電池が不要となるので、通常時に使用される無線リモコン２３において例えば電池切れ等で使用できなくなった際に有線リモコン３０を緊急対応用として用いることができる。また、有線リモコン３０の接続箇所は同軸デジタル音声出力端子２４との兼用とされるので、有線リモコン３０を接続するための専用ポートを別途設ける必要がない。また、各抵抗Ｒ１、Ｒ２、Ｒ３、Ｒ４、Ｒ５と、各ボタン３０ａ、３０ｂ、３０ｃ操作に連動して接地させる為の各タクティールプッシュスイッチＳＷ１、ＳＷ２、ＳＷ３、ＳＷ４、ＳＷ５とで有線リモコン３０を簡単に構成することが可能となるので、安価に有線リモコン３０を構成できる利点がある。
よって、有線リモコン３０を接続するための専用ポートを別途設けることなく、無線リモコン２３が使用できない際に既存の同軸デジタル音声出力端子２４に接続可能な有線リモコン３０を用いて本体１０ａの操作を行うことができる液晶テレビジョン装置１０が提供される。
【００４６】
また、本実施例によれば、同軸デジタル音声出力端子２４に外部アンプ５０が接続された場合に、外部アンプ５０側へ送出されるデジタル音声信号に直流成分がのることが抑制されるので、スタンバイ時及び電源オン時とも稼働する電源により同軸デジタル音声出力端子２４をプルアップ抵抗Ｒ１５を介してプルアップすることによる悪影響が出にくい。
また、デジタル音声信号を同軸デジタル音声出力端子２４から出力するときには電界効果トランジスタＦＥＴ１５は動作しないので、例えば同軸デジタル音声出力端子２４に外部アンプ５０を接続した場合には適切にデジタル音声信号が出力される。
また、有線リモコン３０を接続したときには電界効果トランジスタＦＥＴ１５は動作するので、有線リモコン３０を使用する場合にはデジタル音声信号がロー（グランド）に引き込まれ、マイコン１８にデジタル音声信号が漏れ込むのが防止される。見方を換えれば、キーイン電圧Ｖkinはそのデジタル音声信号の影響を受けない。
また、マイコン１８によりキーイン電圧Ｖkinに基づいてユーザ操作に応じた所定動作（例えば電源のオン／オフ、チャンネルのアップ／ダウン、音量のアップ／ダウン）が実行させられるので、適切に有線リモコン３０を使用することができる。
また、デジタル音声信号の電圧Ｖｄではマイコン１８により上記所定動作が実行させられないので、適切にデジタル音声信号を同軸デジタル音声出力端子２４から出力することができる。
また、有線リモコン３０が無線リモコン２３に組み込まれるように構成すれば、専用に別途有線リモコンを用意する必要がないので、コスト的に有利となる。
【００４７】
以上、本発明の実施例を図面に基づいて詳細に説明したが、本発明はその他の態様においても適用される。
【００４８】
例えば、前述の実施例における有線リモコン３０の各抵抗Ｒ１、Ｒ２、Ｒ３、Ｒ４、Ｒ５の抵抗値は一例であって、キーイン電圧Ｖkinが電界効果トランジスタＦＥＴ１５の閾値よりも大きくなるように設定されれば良い。また、有線リモコン３０で操作できる動作として、電源のオン／オフ、チャンネルのアップ／ダウン、音量のアップ／ダウンを例示したが、必ずしもこれらの動作に限定されなくとも良い。
【００４９】
なお、上述したのはあくまでも一実施形態であり、本発明は当業者の知識に基づいて種々の変更、改良を加えた態様で実施することができる。
【図面の簡単な説明】
【００５０】
【図１】本発明が適用される有線リモコンを備えた薄型表示装置の一例である液晶テレビジョン装置を例示する斜視図である。
【図２】液晶テレビジョン装置の構成を例示するブロック図である。
【図３】有線リモコン及びデジタル音声信号出力に関連する本体内部の概略の回路構成を例示する図である。
【図４】有線リモコンの機能が組み込まれた無線リモコンの概略の構成を例示する図である。
【符号の説明】
【００５１】
１０：液晶テレビジョン装置（薄型表示装置）
１０ａ：本体
１５ｄ：プルアップ部
１８：マイコン
２３：無線リモコン
２４：同軸デジタル音声出力端子
３０：有線リモコン
３０ａ、３０ｂ、３０ｃ：ボタン
３０ｄ：プラグ付の同軸ケーブル
４０：無線リモコン（有線リモコン）
４０ｂ：ボタン
４０ｃ：プラグ付の同軸ケーブル
５０：外部アンプ
ＦＥＴ１５：電界効果トランジスタ（スイッチ素子）
Ｌ１５：信号ライン
Ｒ１、Ｒ２、Ｒ３、Ｒ４、Ｒ５：抵抗
Ｒ１５：プルアップ抵抗
ＳＷ１、ＳＷ２、ＳＷ３、ＳＷ４、ＳＷ５：タクティールプッシュスイッチ（スイッチ） 
【図１】
2009105567.tif 000003
【図２】
2009105567.tif 000004
【図３】
2009105567.tif 000005
【図４】
2009105567.tif 000006